(57)【要約】【課題】装飾物が装身具から外れ難く、装飾物が様々な方向に揺動自在である装身具における装飾物揺動保持機構の提供。【解決手段】装身具本体２に互いに対向する一対の装飾物保持部３を備え、保持部３の対向面を結ぶ直線を回動中心として回動可能に環状をした外側揺動リング５を支持させ、外側揺動リング内に宝石１３などの装飾物を保持させてなる装身具に対する装飾物揺動保持機構において、外側揺動リング５内に、外側揺動リングの回動中心である直線と交差する向きの直線を回動中心として回動可能に環状をした内側揺動リング８を装着し、内側揺動リング８内に装飾物１３を固定した。【選択図】図１
2008206532.tif 000002
【特許請求の範囲】
【請求項１】
装身具本体に互いに対向する一対の装飾物保持部を備え、該保持部の対向面を結ぶ直線を回動中心として回動可能に環状をした外側揺動リングを支持させ、該外側揺動リング内に宝石などの装飾物を保持させてなる装身具に対する装飾物揺動保持機構において、
前記外側揺動リング内に、該外側揺動リングの回動中心である直線と交差する向きの直線を回動中心として回動可能に環状をした内側揺動リングを装着し、該内側揺動リング内に前記装飾物を固定したことを特徴としてなる装身具における装飾物揺動保持機構。
【請求項２】
前記外側揺動リングに対する内側揺動リングの装着は、前記内側揺動リングの外側に一対の連係用小リングを固定するとともに、前記外側揺動リングにその上面側水平に切り欠いた形状の係合凹部を備え、該係合凹部内に前記連係用小リングを揺動可能に嵌め合わせることによってなされている請求項１に記載の装身具における装飾物揺動保持機構。
【請求項３】
内側揺動リングには、その下面に錘用垂下部を架橋状に備え、その上側に装飾物を固定してなる請求項１又は２の何れか１に記載の装身具における装飾物揺動保持機構。
【請求項４】
前記外側揺動リングと保持部との連結部は、２つの連係用小リングを組み合わせた構造となっている請求項１，２又は３の何れか１に記載の装身具における装飾物揺動保持機構。
【発明の詳細な説明】
【技術分野】
【０００１】
本発明は、主として宝石などの装飾物が取り付けられている指輪やネックレスなどの装身具において、装飾物を揺動させて装飾物の存在感を増大させる装飾物揺動保持機構に関する。
【背景技術】
【０００２】
従来、装身具に備え付けられた宝石等の装飾物が揺動可能なものとして、図７〜図８に示す重力バランス指輪がある。
【０００３】
この重力バランス指輪３１は、指輪３２に２つの対向する突部３３，３３を設け、その突部にそれぞれネジ３４，３４を設置し、その突部３３，３３の間に設置された宝石枠３５をネジ３４，３４で挟んで固定しているものである。この宝石枠３５には宝石３６が設置されており、宝石３６を宝石枠３５ごと取り替えることができる。
【０００４】
この宝石枠３５の両端には、先端が尖った小突起３７，３７が備えられ、この小突起３７，３７をネジ３４，３４に当接させて宝石枠３５を設置している。そして、この重力バランス指輪３１は、宝石枠３５と指輪３２の接点が小突起３７，３７の先端のみなので、宝石枠３５が小突起３７,３７間を軸として回動するものである。
【特許文献１】特開２００２−１４２８１７号公報
【発明の開示】
【発明が解決しようとする課題】
【０００５】
しかし、この重力バランス指輪は、宝石を取り替えることができるという点においては便利なものであるが、宝石を揺動し易くさせようとすると、宝石枠を挟むネジを緩める必要があり、そうすると宝石枠が指輪から外れやすくなり、宝石を紛失してしまう恐れが増大するものであった。従って宝石の揺動効果は、余り期待できないものであった。
【０００６】
さらに、この重力バランス指輪は、宝石の回動軸が１つであり、回動方向が一定なため、宝石の動きが単調となり、人を引き付ける魅力に欠けるという問題があった。
【０００７】
そこで、本発明は、このような従来の問題に鑑み、装飾物が装身具から外れ難く、装飾物が様々な方向に揺動自在である装身具における装飾物揺動保持機構を提供することを目的とする。
【課題を解決するための手段】
【０００８】
上述の如き従来の問題を解決し、所期の目的を達成するための請求項１に記載の発明の特徴は、装身具本体に互いに対向する一対の装飾物保持部を備え、該保持部の対向面を結ぶ直線を回動中心として回動可能に環状をした外側揺動リングを支持させ、該外側揺動リング内に宝石などの装飾物を保持させてなる装身具に対する装飾物揺動保持機構において、前記外側揺動リング内に、該外側揺動リングの回動中心である直線と交差する向きの直線を回動中心として回動可能に環状をした内側揺動リングを装着し、該内側揺動リング内に前記装飾物を固定したことにある。
【０００９】
請求項２に記載の発明の特徴は、請求項１に記載の構成に加え、前記外側揺動リングに対する内側揺動リングの装着は、前記内側揺動リングの外側に一対の連係用小リングを固定するとともに、前記外側揺動リングにその上面側水平に切り欠いた形状の係合凹部を備え、該係合凹部内に前記連係用小リングを揺動可能に嵌め合わせることによってなされていることにある。
【００１０】
請求項３に記載の発明の特徴は、請求項１又は２に記載の構成に加え、内側揺動リングには、その下面に錘用垂下部を架橋状に備え、その上側に装飾物を固定してなることにある。
【００１１】
請求項４に記載の発明の特徴は、請求項１，２又は３に記載の構成に加え、前記外側揺動リングと保持部との連結部は、２つの連係用小リングを組み合わせた構造となっていることにある。
【発明の効果】
【００１２】
本発明に係る装身具における装飾物揺動保持機構は、装身具本体に互いに対向する一対の装飾物保持部を備え、保持部の対向面を結ぶ直線を回動中心として回動可能に環状をした外側揺動リングを支持させ、外側揺動リング内に外側揺動リングの回動中心である直線と交差する向きの直線を回動中心として回動可能に環状をした内側揺動リングを装着し、その内側揺動リング内に装飾物を固定したので、装飾物が様々な方向に容易に揺動され、人目を惹くことができる。
【００１３】
さらに、外側揺動リングに対する内側揺動リングの装着は、内側揺動リングの外側に一対の連係用小リングを固定するとともに、外側揺動リングにその上面側水平に切り欠いた形状の係合凹部を備え、係合凹部内に連係用小リングを揺動可能に嵌め合わせることによってなされているので、連係用小リングと外側揺動リングの接触面積が減少し、摩擦抵抗が減るので、より一層揺動され易くなる。
【００１４】
また、内側揺動リングには、その下面に錘用垂下部を架橋状に備え、その上側に装飾物を固定してなるので、装飾物が設置された内側揺動リング全体の重心を低く保つことができ、その結果、装飾物の上面が上方に向き易くなり、さらに装飾物の存在感を増大させることができる。
【００１５】
前記外側揺動リングと装飾物保持部との連結部を、２つの連係用小リングを組み合わせた構造とすることにより、外側揺動リングと装飾物保持部の連結構造を容易に形成することができるとともに、好適に外側揺動リングを揺動させることができる。
【発明を実施するための最良の形態】
【００１６】
次に本発明の実施の形態を図１〜図６に示した実施例に基づいて説明する。
【００１７】
図１は、本発明である装飾物揺動保持機構を有する指輪１を示している。この指輪１は、
装身具本体であるリング状の指輪本体２と、その指輪本体２に設けられた互いに対向する一対の装飾物保持部３，３を備えている。
【００１８】
装飾物保持部３，３は、指輪本体２の上部に向けて突出し、互いに対向するように形成されている。この装飾物保持部３，３の対向する部分の間隔は、そこに設置される装飾物より少し大きめの間隔に形成されている。そして、装飾物保持部３，３の互いに対向する面には、略環状の連係用小リングである保持部側小リング４，４が設置されている。この保持部側小リング４，４は、リングの面が、指輪本体２のリングの面と略垂直となるように設置されている。
【００１９】
この装飾物保持部３，３の間には、略環状の外側揺動リング５が設置されている。この外側揺動リング５は、装飾物保持部３，３に対して揺動するように設置されている。
【００２０】
外側揺動リング５は、図２に示すように、平面視略楕円形状に形成され、その楕円の長さ方向両端部には、外側に突出するように、連係用小リングである外環側小リング６，６を備えている。
【００２１】
この一対の外環側小リング６，６は、外側揺動リング５の中心を中心として対称な位置に形成されている。また、外環側小リング６，６は、そのリング面が、外側揺動リング５のリング面と略垂直となるように形成されている。そして、この外環側小リング６，６と装飾物保持部３，３に形成された連係用リングである保持部側小リング４，４とが、鎖状に連結されることによって、装飾物保持部３，３と外側揺動リング５が揺動可能に連結されている。
【００２２】
また、外側揺動リング５には、図２〜図４に示すように、その楕円形の短軸方向の略対称な位置に、外側揺動リング５の上面側を略水平に切り欠いた形状の係合凹部７，７が形成されている。この係合凹部７，７は、一対の外環側小リング６，６を結ぶ線と、係合凹部７，７を結ぶ線とが略直交するように設けられている。
【００２３】
外側揺動リング５の内側には、内側揺動リング８が設置されている。内側揺動リング８は、図６に示すように、略環状であって、平面視略円形状に形成されている。そして、内側揺動リング８の外周には、一対の連係用小リングである内環側小リング９，９が突出するように備えられている。
【００２４】
この内環側小リング９，９は、図５〜図６に示すように、内側揺動リング８のリング中心を中心として略対称な位置に設置されている。また、内環側小リング９，９は、環状に形成され、その径は、外側揺動リング５を形成する環状部分の断面における径と略等しいか、より大きく形成されている。そして、この内環側小リング９，９を外側揺動リング５の係合凹部７，７に嵌め合わせて、内側揺動リング８と外側揺動リング５とを連結している。
【００２５】
この係合凹部７，７は、図３に示すように、その長さ方向が内環側小リング９，９のリング断面の径よりも大きく切り欠かれており、その係合凹部７，７が、内環側小リング９，９のリング部分に挿入されて、内側揺動リング８と外側揺動リング５とが連結されている。
【００２６】
また、係合凹部７，７は、図４に示すように、係合凹部７，７の断面において２つの角で内環側小リング９，９と接するように切り欠かれている。従って、切り欠かれていない場合と比較して、外側揺動リング５と内観側小リング９，９との接触面積が小さくなるように切り欠かれている。また、外側揺動リング５の一部を切り欠いて係合凹部７，７となしているので、係合凹部７，７の断面積は、外側揺動リング５の断面積より小さく、内環側小リング９，９の揺動領域が拡張されている。このように、内側揺動リング８と外側揺動リング５とを連結しているので、内側揺動リング８が外側揺動リング５に対して好適に揺動する。
【００２７】
そして、内側揺動リング８には、その上下に突出する装飾物固定枠１０が備えられている。この装飾物固定枠１０は、略Ｖ字形に形成されており、内側揺動リング８のリング上面から、装飾物固定枠のＶ字の上部が突出するように形成されている。また、内側揺動リング８の円形部分において、円の中心を中心として対称となる位置から上下に突出するように形成されている。そして、装飾物固定枠１０のＶ字面と内側揺動リング８のリング面が略直交するように形成されている。
【００２８】
この装飾物固定枠１０の内側揺動リング８より上方には、一対の装飾物把持用爪１１，１１を有している。この装飾物把持用爪１１，１１で、装飾物たる宝石１３の側面を把持している。装飾物把持用爪１１，１１は、装飾物固定枠１０の対象な位置に設けられ、内向きに突出するように形成されている。
【００２９】
また、装飾物固定枠１０の内側揺動リングより下方の部分は、錘用垂下部１２を兼ねている。この錘用垂下部１２は、宝石１３が設置された内側揺動リング８の重心が低くなるように、所定の重量を有している。また、錘用垂下部は、内側揺動リング８の下面に架橋状に突出している。
【００３０】
宝石１３は、上部が略円錐台状に形成され、下部は、下方が先細り状の略円錐形状に形成されている。そして、上部側面が装飾物把持用爪１１，１１によって抑えられ、下部は内側揺動リングのリング部分及び錘用垂下部１２に当接させるようにして、宝石１３が内側揺動リング８に固定されている。
【００３１】
本実施例においては、装飾物として、内側揺動リング８に１つの宝石１３を嵌めているものであるが、装飾物としては、１つの宝石に限らず複数の宝石を使用してもよい。
【００３２】
また、本実施例では、内側揺動リング８は、内側揺動リング８は略環状に形成されているが、環状でなくてもよい。環状の場合と同様な位置に一対の内環側小リングを有する構造であればよい。
【００３３】
本実施例においては、錘用垂下部１２は、装飾物固定枠１０を兼ねているが、装飾物固定枠１０とは別に設けてもよい。
【００３４】
また、外側揺動リング５は、環状であるが、環状の場合と同様な位置に外環側小リング６，６及び係合凹部７，７を設けることのできる形状であればよい。
【００３５】
また、本実施例では、装身具として指輪を例示しているが、他に、ネックレス、腕輪、足環、イヤリング、ブローチ等でもよい。
【図面の簡単な説明】
【００３６】
【図１】本発明に係る装身具の装飾物揺動保持機構の一例を示す正面図である。
【図２】本発明に係る宝石を設置した内側揺動リングを外側揺動リングに設置した状態を示す平面図である。
【図３】同上のＡ−Ａ線断面図である。
【図４】図３におけるＢ−Ｂ線断面図である。
【図５】本発明に係る宝石を設置した内側揺動リングを示す側面図である。
【図６】本発明に係る内側揺動リングを示す平面図である。
【図７】従来の重力バランス指輪を示す斜視図である。
【図８】同上の部分断面図である。
【符号の説明】
【００３７】
１  指輪
２  指輪本体
３  装飾物保持部
４  保持部側小リング
５  外側揺動リング
６  外環側小リング
７  係合凹部
８  内側揺動リング
９  内環側小リング
１０  装飾物固定枠
１１  装飾物把持用爪
１２  錘用垂下部
１３  宝石
３１  重力バランス指輪
３２  指輪
３３  突部
３４  ネジ
３５  宝石枠
３６  宝石
３７  小突起
【図１】
2008206532.tif 000003
【図２】
2008206532.tif 000004
【図３】
2008206532.tif 000005
【図４】
2008206532.tif 000006
【図５】
2008206532.tif 000007
【図６】
2008206532.tif 000008
【図７】
2008206532.tif 000009
【図８】
2008206532.tif 000010